(57)【要約】【課題】ケーブル端末部を組み付けた後にガイドレールをケーブル進入経路（組付経路）に挿入することにより、ケーブル保持部に変形が発生しても、ウインドレギュレータ装置が作動不能に陥ることを回避し、確実にウインドガラスを支持できるキャリアプレートを提供する。【解決手段】平板状の基板に設けたケーブル保持部１０にケーブル端末２００を保持させ、このケーブルを進退させることにより、摺動壁３１０が立設されたガイドレール３００上を摺動させて、ガラス保持部３０に載置固定されたウインドガラスを昇降させるキャリアプレート１００において、前記ケーブル保持部１０は合成樹脂にて形成され、ケーブル端末２００を進入させる開口部１２と該ケーブル端末２００を保持する側壁部１１とを有するものであり、当該側壁部１１は、ケーブル端末２００を保持させた後に前記ガイドレール３００の摺動壁３１０によって挟圧することにより当該側壁部１１の変形を防止する。【選択図】図５
2004116129.tif 000002
【特許請求の範囲】
【請求項１】
平板状の基板に設けたケーブル保持部にケーブル端末を保持させ、このケーブルを進退させることにより、摺動壁が立設されたガイドレール上を摺動させて、ガラス保持部に載置固定されたウインドガラスを昇降させるキャリアプレートにおいて、
前記ケーブル保持部は合成樹脂にて形成され、ケーブル端末を進入させる開口部と該ケーブル端末を保持する側壁部とを有するものであり、
当該側壁部は、ケーブル端末を保持させた後に前記ガイドレールの摺動壁によって挟圧され、当該側壁部の変形を防止することを特徴とするキャリアプレート。
【請求項２】
請求項１に記載のキャリアプレートにおいて、
ケーブル保持部における開口部は、ケーブル端末が進入させた後にガイドレールの摺動壁にて閉塞され、前記ケーブル端末が当該開口部から抜け出ることを防止することを特徴とするキャリアプレート。
【請求項３】
請求項１又は２に記載のキャリアプレートと、摺動壁が立設されたガイドレールと、進退することにより前記キャリアプレートを昇降させるケーブルとを有することを特徴とするウインドレギュレータ装置。
【発明の詳細な説明】
【０００１】
【発明の属する技術分野】
本発明は、車両等のウインドガラスを昇降させるウインドレギュレータ装置及び、これに使用されるキャリアプレートに関するものであって、特にケーブル式ウインドレギュレータ装置におけるキャリアプレートへのケーブル端末の取り付け構造に関するものである。
【０００２】
【従来の技術】
ワイヤケーブルを進退させることによって車両等のウインドガラスを昇降（開閉）させる所謂「ワイヤ式」のウインドレギュレータにおいて使用される、「キャリアプレート」に関しては、特許文献１や特許文献２に記載の技術等が、従来より提案されている。
【０００３】
【特許文献１】特公平３−３９５９３号（第１頁、第２頁、第３図、第４図）
【０００４】
まず特許文献１に記載の技術というのは、キャリアプレート（７）にワイヤ係止部（９）が設けられており、ワイヤ係止部（９）は前壁面（９ａ）、後壁面（９ｂ）、左右両壁（９ｃ）、および上壁面（９ｄ）を備えたボックス状に形成されている。そして、上壁面（９ｄ）には係止作業孔（２１）と切欠溝（２３）が設けられており、ワイヤのエンドストッパ（１７，１９）が係止作業孔（２１）から挿通され、切欠溝（２３）を経てワイヤの端末が取り付けられる構成となっている。
【０００５】
然るに、上記構成のキャリアプレートにあっては、当該キャリアプレートを装着した自動車の使用環境や、使用者によるウインドレギュレータ装置の操作状況によっては、ドアパネル内部が高温となったり、或いは、ワイヤ端末を保持するワイヤ係止部（９）に急激な荷重が作用したりする。
【０００６】
斯くの如き過酷な環境の下で長期間に亘って使用されると、前記ワイヤ係止部（９）は切欠溝（２３）を有するボックス状に形成されているため、当該ワイヤー係止部（９）の左右側面等が変形して切欠溝（２３）が拡開することとなり、ワイヤー端末の「はずれ」や「抜け落ち」を招き、ウインドレギュレータ装置が作動不能に陥ることがあった。
【０００７】
【特許文献２】特公平７−１８２９４号（第２頁、第３頁、第４図）
【０００８】
続いて、特許文献２に記載の技術を説明する。当該特許文献２に記載のキャリアプレートは、下部スリットガイド（３’）に連設してワイヤ保持部（１０）が設けられて成るものである。
【０００９】
このワイヤ保持部（１０）というのは、図６に示すように、断面略Ｌ字状の垂設部（２７）を有しており、これによってワイヤーおよびワイヤー端部の抜け落ちを防止する構成となっている。
【００１０】
然るに、当該特許文献２に記載の技術にあっては、ワイヤ保持部（１０）が断面略Ｌ字状の垂設部（２７）から成るため、当該垂設部（２７）がワイヤーを「片持ち状態」で保持することとなるため、前述の如き過酷な使用環境の下では、当該ワイヤ保持部（１０）が変形してしまうため、ワイヤー端末の「外れ」や「抜け落ち」を招き、ひいては、ウインドレギュレータ装置が作動不能に陥ることがあった。
【００１１】
このようにウインドレギュレータ装置が作動不能となると、ウインドガラスが開閉不能となる。特に真冬の夜間等の厳寒時や降雨時においては、ウインドレギュレータ装置は絶対に故障してはならない部品の一つである。ウインドガラスの開閉が不能となる場合には、前記キャリアプレートの変形によるワイヤケーブルの脱落が原因である場合が多いことも付言する。
【００１２】
【発明が解決しようとする課題】
上記諸問題は、（ワイヤ）ケーブル端末の容易な組付けを実現すべく、ケーブルを通過させるために少なくとも１箇所をオープン構造としたため、高温時における樹脂の剛性低下によって保持部が変形する点に原因がある。
【００１３】
本発明者は上記原因の存在に気付き本発明を完成させたものであり、本発明の目的とするところは次に示すものである。
【００１４】
即ち、（ワイヤ）ケーブル端末部を組み付けた後にガイドレールをケーブル進入経路（組付経路）に挿入することにより、ケーブル保持部に変形が発生しても、ウインドレギュレータ装置が作動不能に陥ることを回避し、確実にウインドガラスを支持できるキャリアプレートを提供することを目的とするものである。
【００１５】
【課題を解決するための手段】
上記課題を解決するために本発明の採った手段を、以下、後述の実施形態において用いた符号を付して説明する。
【００１６】
まず、請求項１に係る発明は、平板状の基板に設けたケーブル保持部１０にケーブル端末２００を保持させ、このケーブルを進退させることにより、摺動壁３１０が立設されたガイドレール３００上を摺動させて、ガラス保持部３０に載置固定されたウインドガラスを昇降させるキャリアプレート１００において、前記ケーブル保持部１０は合成樹脂にて形成され、ケーブル端末２００を進入させる開口部１２と該ケーブル端末２００を保持する側壁部１１とを有するものであり、当該側壁部１１は、ケーブル端末２００を保持させた後に前記ガイドレール３００の摺動壁３１０によって挟圧され、当該側壁部１１の変形を防止することを特徴とするものである。
【００１７】
即ち、本発明に係る発明は、別部材に係るガイドレール３００に立設された摺動壁３１０にて、キャリアプレート１００における合成樹にて形成されたケーブル保持部１０の側壁部１１を挟圧することにより、当該側壁部１１が拡開方向に変形してしまうことを防止し、該側壁部１１が保持するケーブル端末２００がキャリアプレート１００から脱落することを防止するものである。
【００１８】
一般にウインドレギュレータ装置におけるガイドレール３００は、それ自身の強度を向上させるために側端部付近を折り曲げるなどして摺動壁３１０や補強壁３２０等を形成する場合が多い。本発明は当該摺動壁３１０に着目し、該摺動壁３１０にケーブル保持部１０の側壁部１１を挟圧させることとした。この摺動壁３１０は、ガイドレール３００における湾曲した略平面部とは異なり、ウインドレギュレータ装置の操作状況によっても変形や変位が少ないため、安定的に側壁部１１を挟圧することが可能となる。
【００１９】
よって本請求項に係る発明によれば、合成樹脂にて形成されたケーブル保持部１０の変形を未然に防ぐことができるので、ケーブル保持部１０が変形してケーブル端末２００が脱落することを防止できる。そのため、ケーブル端末２００の脱落によってウインドレギュレータ装置が作動不能となってしまうことが回避可能となるのである。
【００２０】
次に、請求項２に係る発明は、請求項１に記載のキャリアプレート１００において、ケーブル保持部１０における開口部１２は、ケーブル端末２００が進入させた後にガイドレール３００の摺動壁３１０にて閉塞され、前記ケーブル端末２００が当該開口部１２から抜け出ることを防止することを特徴とするものである。
【００２１】
本請求項に係る発明によれば、ケーブル進入経路である開口部１２をガイドレール３００に立設された摺動壁３１０にて閉塞するので、進入経路の逆を辿ってケーブル端末２００が抜け出てしまうことを防止することが可能となるのである。
【００２２】
そして、請求項３に係る発明のウインドレギュレータ装置は、請求項１又は２に記載のキャリアプレート１００と、摺動壁３１０が立設されたガイドレール３００と、進退することにより前記キャリアプレート１００を昇降させるケーブルとを有することを特徴とするものである。
【００２３】
本請求項に係る発明によれば、合成樹脂にて形成されたケーブル保持部１０の変形を防止できることから、ケーブル端末２００がキャリアプレート１００から抜け出てしまうことを防止できるので、ひいてはウインドレギュレータ装置自体の耐久性を向上させることが可能となるのである。
【００２４】
【発明の実施の形態】
続いて、上記構成に係る本発明の好適な実施形態を、以下、図面を参照して説明する。
【００２５】
図１及び図２は、本発明に係るキャリアプレート１００を示すものであって、図３は当該キャリアプレート１００をガイドレール３００上に摺動自在に装着して成るウインドレギュレータ装置を示すものである。このウインドレギュレータ装置は、キャリアプレート１００に端末部分（以下、「ケーブル端末２００」とする）が保持されたケーブルを進退させることにより、当該キャリアプレート１００をガイドレール３００上において摺動させ使用するものである。
【００２６】
図１及び図２に示すように、本実施例に係るキャリアプレート１００は、合成樹脂にて平板状に形成された基板上に、ケーブル端末２００を保持する「ケーブル保持部１０」と、ガイドレール３００上における本キャリアプレート１００の位置を規制する「ガイド溝２０」と、ウインドガラスを載置固定すべく取付孔よりなる「ガラス保持部３０」とを一体的に設けたものである。勿論、特段上記構成に限定されるものではなく、金属にて形成された基板を合成樹脂で被覆することにより構成したり、或いは、金属にて形成された基板上に合成樹脂にて形成した「ケーブル保持部１０」等を設けて構成してもよい。
【００２７】
ここで、上記構成中「ケーブル保持部１０」というのは、ケーブル端末２００を進入させるための「開口部１２」と前記ケーブル端末２００を保持する「側壁部１１」とを有するものである。
【００２８】
より具体的には、例えば図４に示すように、開口部１２に連通する略Ｌ字状に空間を設けると共に、前記ケーブル端末２００を収納する空間である「収納部」を設け、これらそれぞれの空間の一部を側壁部１１にて隔離する。そして、図４乃至図５に示すように、ケーブル端末２００を前記開口部１２よりキャリアプレート１００内側の「収納部」へと進入させ、図５（ａ）に示すように、当該ケーブル端末２００を側壁部１１に係止させるのである。
【００２９】
しかる後、後述の「ガイド溝２０」へガイドレール３００を差し込むことに伴って、当該ガイドレール３００上に立設された摺動壁３１０が前記開口部１２へと進入することとなる。摺動壁３１０が開口部１２へ進入すること伴い、ケーブル端末２００を保持した側壁部１１を挟圧することとなる。
【００３０】
本発明では摺動壁３１０が側壁部１１を挟圧することにより、「高温の環境」や「過大な荷重」によってケーブル保持部１０に負担がかかったとしても、ケーブルが脱落する程の変形の発生を未然に防止できる。そのため、本キャリアプレート１００が装着されたウインドレギュレータ装置の耐久性を飛躍的に向上させることが可能となるのである。
【００３１】
前記ガイドレール３００の摺動壁３１０は、摺動壁３１０を挟圧する役割を果たすと共に、開口部１２を閉塞する役割を果たすこととなる。このように開口部１２を閉塞することにより、ケーブル端末２００が、図５（ａ），（ｂ）の矢印に示すような「進入経路の逆」を辿って開口部１２から抜け出ることを防止できるのである。
【００３２】
なお、本実施例においてケーブル端末２００は、ケーブルの末端にキューブ状に形成したブロックを固着して構成している。キューブ状に形成したブロックを側壁部１１にて係止させることにより、ケーブル保持部１０においてケーブル端末２００が回転することを防ぐことができる。即ち、ケーブル端末２００の回転に由来する騒音の発生を効果的に防ぐことが可能となるのである。
【００３３】
また、当該キューブ状ブロックにおける一辺の寸法は、図５（ａ），（ｂ）に示すように、摺動壁３１０にて規制したケーブル保持部１０における「略Ｌ字状空間」の断面寸法よりも大きい寸法とすると好適である。かかる構成を採ることにより、ケーブル端末２００が収納部から飛び出した場合にあっても、キャリアプレート１００からケーブルが抜け出ることを一層効果的に防止できるのである。
【００３４】
なお、本実施例においては、開口部１２上端付近を摺動壁３１０へと密着させ、尚且つ、この密着部分を縦方向に対して幅狭に形成することにより摺動抵抗を抑えた構成となっている。つまり、開口部１２上端付近を摺動壁３１０へと密着させることによって、開口部１２と摺動壁３１０との隙間からケーブルが抜け出ることを防止したものである。勿論、摺動抵抗を考慮しないのであれば密着部分を幅狭に形成する必要はない。
【００３５】
ここで、「ガイド溝２０」は、ガイドレール３００上における本キャリアプレート１００の位置を規制するものである。具体的には、本キャリアプレート１００が装着されたウインドレギュレータ装置を車両のドアパネルに設置して、ドアを開閉した際には、例えば図５に示すキャリアプレートに対して、ガイドレール３００から離間する方向への荷重が働くこととなる。かかる荷重が発生しても、このガイド溝２０を設けたことにより、ガイドレール３００上においてキャリアプレート１００が規定位置よりズレてしまうことを防止できるのである。
【００３６】
このガイド溝２０に関し本実施例では、図２、図３及び図５に示すように、キャリアプレート１００と共に合成樹脂にて一体的に形成され、ガイドレール３００の背面に回り込む形状にて構成しているが、特段この構成に限定されるものではない。例えば、金属にて形成されたガイド溝２０に対して合成樹脂を被覆したり、金属にて形成された基板上に合成樹脂にて形成したガイド溝２０を設けるものとしてもよい。
【００３７】
また、本実施例においては、図１，図２及び図５に示すように、上記「ガイド溝２０」付近に「板バネ部２１」が一体的に形成されている。この板バネ部２１は、ガイド溝２０にガイドレール３００が装着された際には当該ガイドレール３００に対して押圧することとなる。そのため、ガイドレール３００とガイド部との密着性を高めると共に、摺動壁３１０とケーブル保持部１０の開口部１２上端との密着性を高めることに資することとなっている。
【００３８】
なお、上記「ガイド溝２０」に装着されるガイドレール３００は、本実施例においては断面略Ｆ字形状に構成している。即ち、平板の一端を折り曲げて補強壁３２０を立設すると共に、他方端に程近い中途箇所を折り曲げることによって、上記側壁部１１を挟圧するための摺動壁３１０を立設したのである。本発明の目的を達成するために特段この構成に限定されるものではなく、ケーブル保持部１０を挟圧できるのであれば、摺動壁３１０をガイドレール３００端部に配置してもよく、或いは、摺動壁３１０を複数設けてそれぞれケーブル保持部１０を挟圧させる構成としてもよい。勿論、補強壁３２０に摺動壁３１０の役割を担わせてもよい。
【００３９】
以上、本発明を実施例と共に説明したが、キャリアプレート１００におけるケーブル保持部１０をガイドレール３００の摺動壁３１０にて挟圧する点に、本発明の特徴の特徴の一つをおくものである。従って、発明の本質を逸脱しない範囲で、構成に多少の相違があったとしても、本発明と同様な作用効果を有するものであれば、本発明の技術的範囲に属するものである。
【００４０】
【発明の効果】
以下、本各発明の効果を説明する。
【００４１】
まず、請求項１に係る発明は、平板状の基板に設けたケーブル保持部にケーブル端末を保持させ、このケーブルを進退させることにより、摺動壁が立設されたガイドレール上を摺動させて、ガラス保持部に載置固定されたウインドガラスを昇降させるキャリアプレートにおいて、前記ケーブル保持部は合成樹脂にて形成され、ケーブル端末を進入させる開口部と該ケーブル端末を保持する側壁部とを有するものであり、当該側壁部は、ケーブル端末を保持させた後に前記ガイドレールの摺動壁によって挟圧され、当該側壁部の変形を防止することに、その構成上の特徴を有するものである。
【００４２】
そして、本請求項に係る発明によれば、合成樹脂にて形成されたケーブル保持部の変形を未然に防ぐことができ、ケーブル保持部が変形してケーブル端末が脱落することを防止できるので、ケーブル端末の脱落によってウインドレギュレータ装置が作動不能となってしまうことが回避可能となるという効果を奏するのである。
【００４３】
次に、請求項２に係る発明は、請求項１に記載のキャリアプレートにおいて、ケーブル保持部における開口部は、ケーブル端末が進入させた後にガイドレールの摺動壁にて閉塞され、前記ケーブル端末が当該開口部から抜け出ることを防止することに、その構成上の特徴を有するものである。
【００４４】
そして、本請求項に係る発明によれば、ケーブル進入経路である開口部をガイドレールに立設された摺動壁にて閉塞するので、進入経路の逆を辿ってケーブル端末が抜け出てしまうことを防止することが可能となるという効果を奏するのである。
【００４５】
また、請求項３に係る発明のウインドレギュレータ装置は、請求項１又は２に記載のキャリアプレートと、摺動壁が立設されたガイドレールと、進退することにより前記キャリアプレートを昇降させるケーブルとを有することに、その構成上の特徴を有するものである。
【００４６】
そして、本請求項に係る発明によれば、合成樹脂にて形成されたケーブル保持部の変形を防止できることから、ケーブル端末がキャリアプレートから抜け出てしまうことを防止できるので、ひいてはウインドレギュレータ装置自体の耐久性を向上させることが可能となるという効果を奏するのである。
【図面の簡単な説明】
【図１】本発明に係るキャリアプレート１００の平面図である。
【図２】図１に示すキャリアプレート１００を斜め上方より示す図である。
【図３】図１及び図２に示すキャリアプレート１００をウインドレギュレータ装置に装着した状態を示すである。
【図４】（ａ）は、図１におけるＡ−Ａ断面図である。（ｂ）は、当該（ａ）に対応する部分を図１におけるＢ方向から示した図である。
【図５】（ａ）は、図４（ａ）においてケーブル端末をケーブル保持部にて保持させ、しかる後に、ガイドレールをガイド溝に装着して、開口部を閉塞した状態を示す図である。（ｂ）は、当該（ａ）に対応する部分を図１におけるＢ方向から示した図である。
【図６】従来技術に係るキャリアプレートのケーブル係止部を示す図である。
【符号の説明】
キャリアプレート　１００
ケーブル保持部　　　１０
側壁部　　　　　　　１１
開口部　　　　　　　１２
ガイド溝　　　　　　２０
板バネ部　　　　　　２１
ガラス保持部　　　　３０
ケーブル端末　　　２００
ガイドレール　　　３００
摺動壁　　　　　　３１０
補強壁　　　　　　３２０
【図１】
2004116129.tif 000003
【図２】
2004116129.tif 000004
【図３】
2004116129.tif 000005
【図４】
2004116129.tif 000006
【図５】
2004116129.tif 000007
【図６】
2004116129.tif 000008